(57)【要約】【課題】非会員医師を新たに会員として加えるべきか否かについて、会員医師と同一の基準で判断するための情報を管理者に提供すること。【解決手段】情報処理装置１は、会員医師端末２からの要求に応じて、評価情報の入力フォーマットのデータを取得して、非会員医師を評価するための、評価情報の入力フォーマットを含むコメント投稿画面を生成して、会員医師端末２に送信する。更に、非会員医師の属性情報とともに当該非会員医師についての評価情報を含むコメントを当該会員医師端末２から受信したことに応じて、当該受信したコメントを当該非会員医師の属性情報に関連付けてコメントデータベース１２１に記憶し、所定のタイミングでコメントデータベースに記憶された当該非会員医師についての評価情報を当該非会員医師の属性情報に基づいて集計する。【選択図】図５
2015036956.tif 000002
【特許請求の範囲】
【請求項１】
会員医師についての評価情報を含むコメントが、当該会員医師の医師ＩＤに関連付けられて記憶されるコメントデータベースと、前記評価情報の入力フォーマットのデータと、を利用した情報処理を実行する情報処理装置であって、
会員医師の端末からの要求に応じて、前記評価情報の入力フォーマットのデータを取得して、非会員医師を評価するための、前記評価情報の入力フォーマットを含むコメント投稿画面のデータを生成するコメント投稿画面生成手段と、
前記コメント投稿画面生成手段により生成された前記コメント投稿画面のデータを、前記会員医師の端末に送信する非会員医師コメント投稿画面送信手段と、
非会員医師の属性情報とともに当該非会員医師についての評価情報を含むコメントを前記会員医師の端末から受信したことに応じて、受信した当該コメントを当該非会員医師の属性情報に関連付けて前記コメントデータベースに記憶させる非会員医師コメント記憶制御手段と、
所定のタイミングで前記コメントデータベースに記憶された当該非会員医師についての評価情報を当該非会員医師の属性情報に基づいて集計する評価情報集計手段と、
前記評価情報集計手段により集計された当該非会員医師についての評価情報が所定の条件を満足する場合に、当該評価情報を会員医師候補の評価情報として抽出する会員医師候補評価情報抽出手段と、
前記会員医師候補評価情報抽出手段により抽出された前記会員医師候補の評価情報を管理者の端末に送信する会員医師候補評価情報送信手段と、
を備える情報処理装置。
【請求項２】
前記コメントデータベースに記憶された、会員医師についての評価情報のうち、前記会員医師候補評価情報抽出手段により抽出された前記非会員医師についての評価情報との類似度が一定以上のものを抽出する類似会員医師評価情報抽出手段を更に備え、
前記会員医師候補評価情報送信手段は、前記会員医師候補評価情報抽出手段により抽出された当該非会員医師についての評価情報とともに、前記類似会員医師評価情報抽出手段により抽出された当該会員医師についての評価情報を送信する、
請求項１に記載の情報処理装置。
【請求項３】
前記会員医師の端末から当該非会員医師の属性情報を受信したことに応じて、前記コメントデータベースに記憶された、１以上の非会員医師の属性情報の中から、当該受信した当該非会員医師の属性情報と類似度が一定以上のものを抽出して、前記会員医師の端末に送信する非会員医師属性情報送信手段、
を更に備える、請求項１に記載の情報処理装置。
【請求項４】
前記非会員医師についての評価情報を含むコメントを閲覧した会員医師の端末から当該評価情報に関する同意情報を受信したことに応じて、当該非会員医師についての評価情報の価値を上昇させる非会員医師評価情報価値上昇手段、
を更に備える請求項１に記載の情報処理装置。
【請求項５】
会員医師についての評価情報を含むコメントが、当該会員医師の医師ＩＤに関連付けられて記憶されるコメントデータベースと、前記評価情報の入力フォーマットのデータと、を利用する情報処理装置が実行する情報処理方法であって、
会員医師の端末からの要求に応じて、前記評価情報の入力フォーマットのデータを取得して、非会員医師を評価するための、前記評価情報の入力フォーマットを含むコメント投稿画面のデータを生成するコメント投稿画面生成ステップと、
前記コメント投稿画面生成ステップの処理により生成された前記コメント投稿画面のデータを、前記会員医師の端末に送信する非会員医師コメント投稿画面送信ステップと、
非会員医師の属性情報とともに当該非会員医師についての評価情報を含むコメントを前記会員医師の端末から受信したことに応じて、受信した当該コメントを当該非会員医師の属性情報に関連付けて前記コメントデータベースに記憶させる非会員医師コメント記憶制御ステップと、
所定のタイミングで前記コメントデータベースに記憶された当該非会員医師についての評価情報を当該非会員医師の属性情報に基づいて集計する評価情報集計ステップと、
前記評価情報集計ステップの処理により集計された当該非会員医師についての評価情報が所定の条件を満足する場合に、当該評価情報を会員医師候補の評価情報として抽出する会員医師候補評価情報抽出ステップと、
前記会員医師候補評価情報抽出ステップの処理により抽出された前記会員医師候補の評価情報を管理者の端末に送信する会員医師候補評価情報送信ステップと、
を含む情報処理方法。
【請求項６】
会員医師についての評価情報を含むコメントが、当該会員医師の医師ＩＤに関連付けられて記憶されるコメントデータベースと、前記評価情報の入力フォーマットのデータと、を利用した情報処理を実行するコンピュータを、
会員医師の端末からの要求に応じて、前記評価情報の入力フォーマットのデータを取得して、非会員医師を評価するための、前記評価情報の入力フォーマットを含むコメント投稿画面のデータを生成するコメント投稿画面生成手段と、
前記コメント投稿画面生成手段により生成された前記コメント投稿画面のデータを、前記会員医師の端末に送信する非会員医師コメント投稿画面送信手段と、
非会員医師の属性情報とともに当該非会員医師についての評価情報を含むコメントを前記会員医師の端末から受信したことに応じて、受信した当該コメントを当該非会員医師の属性情報に関連付けて前記コメントデータベースに記憶させる非会員医師コメント記憶制御手段と、
所定のタイミングで前記コメントデータベースに記憶された当該非会員医師についての評価情報を当該非会員医師の属性情報に基づいて集計する評価情報集計手段と、
前記評価情報集計手段により集計された当該非会員医師についての評価情報が所定の条件を満足する場合に、当該評価情報を会員医師候補の評価情報として抽出する会員医師候補評価情報抽出手段と、
前記会員医師候補評価情報抽出手段により抽出された前記会員医師候補の評価情報を管理者の端末に送信する会員医師候補評価情報送信手段と、
して機能させるプログラム。
【発明の詳細な説明】
【技術分野】
【０００１】
本発明は、情報処理装置、情報処理方法及びプログラムに関する。
【背景技術】
【０００２】
従来から、インターネット上のサービスとして、ソーシャルネットワークサービス（以下、「ＳＮＳ」と略記する）が存在する（特許文献１乃至３参照）。ＳＮＳは、参加メンバーが互いに友人を紹介しあって、新たな友人関係を広げることを目的としたコミュニティ型のサービスであり、一般に、メンバーの加入を既に参加しているメンバーからの紹介に限っている。
近年、会員登録した医師等に参加メンバーを限定したＳＮＳによる、会員制の医師コミュニティの普及が要望されている。
【先行技術文献】
【特許文献】
【０００３】
【特許文献１】特開２００７−１７８７７６号公報
【特許文献２】特開２００７−１１８２４３号公報
【特許文献３】特開２００８−１９７８３９号公報
【発明の概要】
【発明が解決しようとする課題】
【０００４】
このような会員制の医師コミュニティにおいて、非会員医師を新たに会員として加えるべきか否かについて、会員医師と同一の基準で判断するための情報を管理者に提供することが要求されている。
【０００５】
本発明は、このような状況に鑑みてなされたものであり、非会員医師を新たに会員として加えるべきか否かについて、会員医師と同一の基準で判断するための情報を管理者に提供することを目的とする。
【課題を解決するための手段】
【０００６】
上記目的を達成するため、本発明の一態様の情報処理装置は、
会員医師についての評価情報を含むコメントが、当該会員医師の医師ＩＤに関連付けられて記憶されるコメントデータベースと、前記評価情報の入力フォーマットのデータと、を利用した情報処理を実行する情報処理装置であって、
会員医師の端末からの要求に応じて、前記評価情報の入力フォーマットのデータを取得して、非会員医師を評価するための、前記評価情報の入力フォーマットを含むコメント投稿画面のデータを生成するコメント投稿画面生成手段と、
前記コメント投稿画面生成手段により生成された前記コメント投稿画面のデータを、前記会員医師の端末に送信する非会員医師コメント投稿画面送信手段と、
非会員医師の属性情報とともに当該非会員医師についての評価情報を含むコメントを前記会員医師の端末から受信したことに応じて、受信した当該コメントを当該非会員医師の属性情報に関連付けて前記コメントデータベースに記憶させる非会員医師コメント記憶制御手段と、
所定のタイミングで前記コメントデータベースに記憶された当該非会員医師についての評価情報を当該非会員医師の属性情報に基づいて集計する評価情報集計手段と、
前記評価情報集計手段により集計された当該非会員医師についての評価情報が所定の条件を満足する場合に、当該評価情報を会員医師候補の評価情報として抽出する会員医師候補評価情報抽出手段と、
前記会員医師候補評価情報抽出手段により抽出された前記会員医師候補の評価情報を管理者の端末に送信する会員医師候補評価情報送信手段と、
を備える。
【０００７】
本発明の一態様の情報処理装置は、会員医師の端末からの要求に応じて、会員医師を評価するのと同様の評価情報の入力フォーマットのデータを取得して、非会員医師を評価するための、評価情報の入力フォーマットを含むコメント投稿画面のデータを生成して、会員医師の端末に送信する。更に、当該情報処理装置は、非会員医師の属性情報とともに当該非会員医師についての評価情報を含むコメントを当該会員医師の端末から受信したことに応じて、当該受信したコメントを当該非会員医師の属性情報に関連付けてコメントデータベースに記憶し、所定のタイミングでコメントデータベースに記憶された当該非会員医師についての評価情報を当該非会員医師の属性情報に基づいて集計する。更に、当該情報処理装置は、集計された当該非会員医師についての評価情報が所定の条件を満足する場合に、当該評価情報を会員医師候補の評価情報として抽出して管理者端末に送信する。
したがって、例えば医師コミュニティ等に属する会員医師同士を評価する評価情報の入力フォーマットと同様の入力フォーマットにより入力された、非会員医師の評価情報に基づいて、当該非会員医師に関する評価情報を集計することによって、当該非会員医師を新たに会員として加えるべきか否かについて、会員医師と同一の基準で判断するための情報を管理者に提供することができる。
【０００８】
本発明の別の態様の情報処理装置は、
前記コメントデータベースに記憶された、会員医師についての評価情報のうち、前記会員医師候補評価情報抽出手段により抽出された前記非会員医師についての評価情報との類似度が一定以上のものを抽出する類似会員医師評価情報抽出手段を更に備え、
前記会員医師候補評価情報送信手段は、前記会員医師候補評価情報抽出手段により抽出された当該非会員医師についての評価情報とともに、前記類似会員医師評価情報抽出手段により抽出された当該会員医師についての評価情報を送信する、
ことができる。
【０００９】
したがって、非会員医師の評価情報に類似する評価情報を有する会員医師の評価情報が、非会員医師の評価情報とともに当該管理者端末に送信されるので、管理者は、当該会員医師の評価情報を、当該非会員医師を会員医師として認定する際の認定基準として利用できる。
【００１０】
本発明の別の態様の情報処理装置は、
前記会員医師の端末から当該非会員医師の属性情報を受信したことに応じて、前記コメントデータベースに記憶された、１以上の非会員医師の属性情報の中から、当該受信した当該非会員医師の属性情報と類似度が一定以上のものを抽出して、前記会員医師の端末に送信する非会員医師属性情報送信手段、を更に備える、
ことを特徴とする。
【００１１】
したがって、会員医師は、自身がコメントした非会員医師の属性情報に類似する属性情報を有する別の非会員医師が、既にコメントデータベースに登録されていることを把握できる。
【００１２】
本発明の別の態様の情報処理装置は、
前記非会員医師についての評価情報を含むコメントを閲覧した会員医師の端末から当該評価情報に関する同意情報を受信したことに応じて、当該非会員医師についての評価情報の価値を上昇させる非会員医師評価情報価値上昇手段、を更に備える、
ことを特徴とする。
【００１３】
したがって、コメントを投稿した会員医師以外の会員医師の意思が当該非会員医師の評価情報に反映されるので、管理者は、当該非会員医師を会員医師候補にするか否かを、複数の会員医師の意思に基づいて的確に判断できる。
【００１４】
本発明の一態様の情報処理方法及びプログラムは、上述の本発明の一態様の情報処理装置に対応する方法及びプログラムである。したがって、本発明の一態様の情報処理方法及びプログラムは、上述の本発明の一態様の情報処理装置と基本的に同様の作用効果を奏する。
【発明の効果】
【００１５】
本発明によれば、非会員医師を新たに会員として加えるべきか否かについて、会員医師と同一の基準で判断するための情報を管理者に提供することができる。
【図面の簡単な説明】
【００１６】
【図１】本発明の実施形態に係る情報処理システムの全体構成を示すブロック図である。
【図２】図１の情報処理システムＳの構成要素のうち、情報処理装置のハードウェアの構成を示すブロック図である。
【図３】図１の情報処理システムＳの構成要素のうち、会員医師端末のハードウェアの構成を示すブロック図である。
【図４】図１の情報処理システムＳの構成要素のうち、管理者端末のハードウェアの構成を示すブロック図である。
【図５】図１の情報処理システムＳの機能的構成のうち、会員医師候補決定処理を実行するための機能的構成を示す機能ブロック図である。
【図６】評価情報入力フォーマットデータの一具体例を示す図である。
【図７】非会員医師用のコメント投稿画面の一具体例を示す図である。
【図８】コメントデータベースの一具体例を示す図である。
【図９】図１の情報処理システムを構成する情報処理装置、会員医師端末及び管理者端末が会員医師候補決定処理を夫々実行する場合における相互の処理の関係について説明するアローチャートである。
【図１０】図１の情報処理システムを構成する情報処理装置、会員医師端末及び管理者端末が会員医師候補決定処理を夫々実行する場合における相互の処理の関係について説明するアローチャートである。
【発明を実施するための形態】
【００１７】
以下、本発明の実施形態について、図面を用いて説明する。
【００１８】
図１は、本発明の実施形態に係る情報処理システムＳの全体構成を示すブロック図である。
【００１９】
図１に示すように、本実施形態に係る情報処理システムＳは、情報処理装置１と、ｎ台（ｎは２以上の任意の整数値）の会員医師端末２−１〜２−ｎと、管理者端末３とが、インターネット等の任意のネットワーク４を介して相互に接続されて構成されている。
情報処理装置１は、医師コミュニティのＳＮＳにおける各種サービスを提供するためのサーバとして構成される。
会員医師端末２−１〜２−ｎは、当該医師コミュニティに属するｎ人の会員医師夫々に使用される、パーソナルコンピュータやスマートフォン等の端末で構成される。なお、会員医師端末２−１〜２−ｎの夫々を、個々に区別する必要がない場合、これらをまとめて、「会員医師端末２」という。
管理者端末３は、当該医師コミュニティを管理する管理者に使用される、パーソナルコンピュータやスマートフォン等の端末で構成される。
【００２０】
図２は、図１の情報処理システムＳの構成要素のうち、情報処理装置１のハードウェアの構成を示すブロック図である。
【００２１】
情報処理装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、入力部１６と、出力部１７と、記憶部１８と、通信部１９と、ドライブ２０と、を備えている。
【００２２】
ＣＰＵ１１は、ＲＯＭ１２に記録されているプログラム、又は、記憶部１８からＲＡＭ１３にロードされたプログラムにしたがって各種の処理を実行する。
【００２３】
ＲＡＭ１３には、ＣＰＵ１１が各種の処理を実行する上において必要なデータ等も適宜記憶される。
【００２４】
ＣＰＵ１１、ＲＯＭ１２及びＲＡＭ１３は、バス１４を介して相互に接続されている。このバス１４にはまた、入出力インターフェース１５も接続されている。入出力インターフェース１５には、入力部１６、出力部１７、記憶部１８、通信部１９及びドライブ２０が接続されている。
【００２５】
入力部１６は、各種釦等で構成され、ユーザの指示操作に応じて各種情報を入力する。
出力部１７は、ディスプレイやスピーカ等で構成され、画像や音声を出力する。
記憶部１８は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、後述する紹介状情報等の各種データを記憶する。
通信部１９は、ネットワーク４を介して会員医師端末２との間で行う通信を制御する。
【００２６】
ドライブ２０には、磁気ディスク、光ディスク、光磁気ディスク、或いは半導体メモリ等よりなる、リムーバブルメディア３１が適宜装着される。ドライブ２０によってリムーバブルメディア３１から読み出されたプログラムは、必要に応じて記憶部１８にインストールされる。また、リムーバブルメディア３１は、記憶部１８に記憶されている紹介状情報等の各種データも、記憶部１８と同様に記憶することができる。
【００２７】
図３は、図１の情報処理システムＳの構成要素のうち、会員医師端末２のハードウェアの構成を示すブロック図である。
【００２８】
会員医師端末２は、ＣＰＵ４１〜ドライブ５０を備えている。ＣＰＵ４１〜ドライブ５０の夫々は、図２のＣＰＵ１１〜ドライブ２０の夫々と基本的に同様の構成と機能を有している。また、リムーバブルメディア６１は、図２のリムーバブルメディア３１と基本的に同様の構成と機能を有している。したがって、会員医師端末２のハードウェア構成の説明は省略する。
【００２９】
図４は、図１の情報処理システムＳの構成要素のうち、管理者端末３のハードウェアの構成を示すブロック図である。
【００３０】
管理者端末３は、ＣＰＵ７１〜ドライブ８０を備えている。ＣＰＵ７１〜ドライブ８０の夫々は、図２のＣＰＵ１１〜ドライブ２０の夫々と基本的に同様の構成と機能を有している。また、リムーバブルメディア８１は、図２のリムーバブルメディア３１と基本的に同様の構成と機能を有している。したがって、管理者端末３のハードウェア構成の説明は省略する。
【００３１】
図５は、図１の情報処理システムＳの機能的構成のうち、会員医師候補決定処理を実行するための機能的構成を示す機能ブロック図である。
会員医師候補決定処理とは、次のような一連の処理をいう。即ち、情報処理装置１は、一の会員医師端末２に対して、会員医師に対する評価と同一フォーマットで非会員医師を評価するための画面（後述するコメント投稿画面）のデータを送信する。会員医師端末２は、当該フォーマットにしたがって記入された非会員医師の評価を伴うコメントを受け付けると、情報処理装置１に送信する。情報処理装置１は、当該コメントを受信すると、当該コメントから、当該非会員医師を評価するための評価情報を取得し、取得した評価情報における評価が高い非会員医師を会員医師候補として決定し、決定した会員医師候補の評価情報を管理者端末３に送信する。
【００３２】
会員医師候補決定処理が実行される場合、情報処理装置１が備えるＣＰＵ１１においては、コメント投稿画面生成部９１と、コメント投稿画面送信部９２と、コメント記憶制御部９３と、評価情報価値上昇部９４と、評価情報集計部９５と、会員医師候補評価情報抽出部９６と、会員医師候補評価情報送信部９７と、類似会員医師評価情報抽出部９８と、非会員医師属性情報送信部９９と、が機能する。
この場合、記憶部１８の一領域として設けられたコメントデータベース１２１と、評価情報入力フォーマット記憶部１２２と、が用いられる。
会員医師端末２が備えるＣＰＵ４１においては、コメント作成要求送信部１０１と、コメント投稿画面受信部１０２と、コメント送受信部１０３と、同意情報送信部１０４と、非会員医師属性情報受信部１０５と、が機能する。
管理者端末３が備えるＣＰＵ７１においては、会員医師候補評価情報受信部１１１が機能する。
【００３３】
会員医師候補決定処理が開始されると、会員医師端末２のコメント作成要求送信部１０１は、非会員医師についてのコメントを作成する旨の要求信号を情報処理装置１に送信する。
【００３４】
情報処理装置１のコメント投稿画面生成部９１は、当該要求信号を会員医師端末２から受信すると、図６に示すような評価情報の入力フォーマットのデータを評価情報入力フォーマット記憶部１２２から取得する。
【００３５】
図６は、評価情報入力フォーマット記憶部１２２に記憶される評価情報の入力フォーマットのデータの一具体例として、評価情報入力フォーマットデータの構造例を示している。
図６に示すように、評価情報入力フォーマットデータには、「大項目」の欄、「小項目」の欄、及び「形式」の欄が設けられている。「大項目」としての「この先生のここがスゴイ！」には、「小項目」としての「技術力」、「患者対応」、「診断力」等が対応付けられており、更に、「技術力」、「患者対応」、「診断力」等の夫々には、「形式」としての「チェックボックス」が対応付けられている。また、大項目としての「おすすめ理由」には、小項目は何も対応付けられておらず、形式としての「テキストボックス」が対応付けられている。
なお、本実施形態において、評価情報としては、大項目としての「この先生のここがスゴイ！」に対応する小項目としての「技術力」、「患者対応」、「診断力」等、及び、大項目としての「おすすめ理由」に対応するテキストボックスに記載された内容が用いられる。
この評価情報入力フォーマットデータは、本来、会員医師同士で会員医師を評価する際に使用されるものであったが、本実施形態では更に、会員医師が、会員医師同士での評価と同様に非会員医師を評価する際にも利用される。
【００３６】
図５のコメント投稿画面生成部９１は、このような図６の評価情報入力フォーマットデータ等の入力フォーマットのデータを取得すると、当該データに基づいて図７に示すような非会員医師用のコメント投稿画面のデータを生成する。
【００３７】
図７は、非会員医師用のコメント投稿画面の一具体例を示している。
図７に示す非会員医師用のコメント投稿画面は、図６に示した評価情報入力フォーマットデータの「大項目」及び「小項目」の各欄を示すメッセージ画像と、図６に示した評価情報入力フォーマットデータの「形式」の欄の記入事項に応じたＧＵＩ（Ｇｒａｆｈｉｃａｌ  Ｕｓｅｒ  Ｉｎｔｅｒｆａｃｅ）と、後述する「属性情報」及び「その他」を示す画像とから構成される。
大項目としての「この先生のここがスゴイ！」には、小項目としての「技術力」、「患者対応」、「診断力」等が対応付けられており、更に、「技術力」、「患者対応」、「診断力」等の夫々を「評価」するためのチェックボックスが対応付けられている。会員医師端末２（図３）の入力部４６に対するユーザ操作によって、このチェックボックスがチェックされたりされなかったりすることにより、小項目としての「技術力」、「患者対応」、「診断力」等の夫々の観点で非会員医師が評価される。また、大項目としての「おすすめ理由」には、「評価」としてのテキストボックスが対応付けられており、このテキストボックスに入力された内容が、非会員医師についてのおすすめ理由となる。更に、「属性情報」の欄には、非会員医師の各種属性、例えば、当該非会員医師の氏名、当該非会員医師が所属する診療科目、当該非会員医師が所属する病院等が記載される。
【００３８】
なお、図示はしないが、会員医師用の投稿画面についても、会員を評価する部分については図７と同様のフォーマットの構成、即ち、図６に示した評価情報入力フォーマットデータの「大項目」及び「小項目」の各欄を示すメッセージ画像と、図６に示した評価情報入力フォーマットデータの「形式」の欄の記入事項に応じたＧＵＩ（Ｇｒａｆｈｉｃａｌ  Ｕｓｅｒ  Ｉｎｔｅｒｆａｃｅ）とを含む構成が取られている。
【００３９】
図５に戻って、コメント投稿画面送信部９２は、このような図７の非会員医師用のコメント投稿画面のデータを会員医師端末２に送信する。
【００４０】
会員医師端末２のコメント投稿画面受信部１０２は、非会員医師用のコメント投稿画面のデータを情報処理装置１から受信すると、当該コメント投稿画面を出力部４７（図３参照）に表示出力する。
会員医師端末２を使用する会員医師は、出力部４７に表示された非会員医師用のコメント投稿画面をみながら、入力部４６（図３参照）を操作して、非会員医師の属性情報と、当該非会員医師の評価情報を含むコメントとを入力する。ここで、非会員医師の評価情報を含むコメントとは、「技術力」、「患者対応」、「診断力」等、及びおすすめ理由である評価情報に「その他」の内容を付加したものである。
コメント送受信部１０３は、このようにして入力された、非会員医師の属性情報、及び非会員医師の評価情報を含むコメントを、情報処理装置１に送信する。
【００４１】
情報処理装置１のコメント記憶制御部９３は、会員医師端末２から受信した非会員医師の評価情報を含むコメントを、会員医師端末２から受信した非会員医師の属性情報に関連付けてコメントデータベース１２１に記憶する。その後、コメント記憶制御部９３は、当該コメントを、必要に応じて、会員医師端末２−１〜２−ｎに適宜送信する。
【００４２】
図８は、図５のコメントデータベース１２１の構造例を示している。
図８に示すように、コメントデータベース１２１には、会員医師については、所定のコメントについて、当該コメントを一意に識別するコメントＩＤと、コメントの対象となっている会員医師を一意に識別する医師ＩＤと、当該コメントの内容と、が関連付けられて格納される。なお、図８において、コメントＩＤが「００１」、「００２」のデータレコードが、とある２人の会員医師の夫々のものに対応している。
即ち、本実施形態では、会員医師端末２において、図示せぬ会員医師用のコメント投稿画面（ただし、評価のフォーマットは非会員医師用と同一）を使用して入力された（他の）会員のコメントの内容も、コメントデータベース１２１に格納される。
また、非会員医師については、所定のコメントについて、当該コメントを一意に識別するコメントＩＤと、コメントの対象となっている非会員医師を識別する属性情報と、当該コメントの内容と、後述する同意回数と、が関連付けられて格納される。なお、図８において、コメントＩＤが「００３」、「００４」のデータレコードが、とある２人の非会員医師の夫々のものに対応している。
ここで、「この先生のここがスゴイ！」欄には、図７に示したコメント投稿画面においてチェックボックスにチェックされた箇所に対応する項目の内容が、会員医師と非会員医師とに関わらず格納される。また、「おすすめ理由」欄には、図７に示したコメント投稿画面において、「おすすめ理由」に対応して記載された内容が、会員医師と非会員医師とに関わらず格納される。
これに対して、非会員医師のみについて情報が格納される欄としては、「属性情報」、「その他」、及び「同意回数」の欄がある。「その他」欄には、図７に示したコメント投稿画面において、「その他」に対応して記載された内容が格納される。
【００４３】
図５に戻って、会員医師端末２のコメント送受信部１０３は、情報処理装置１から非会員医師についてのコメントが送信されてきた場合、そのコメントを受信する。そして、コメント送受信部１０３は、当該受信したコメントを出力部４７（図３参照）に表示出力する。
会員医師端末２を使用する会員医師（非会員医師に対するコメントを入力した会員医師を除く）は、出力部４７に表示された非会員医師用のコメント投稿画面をみながら、入力部４６（図３参照）を操作して、表示出力された非会員医師についてのコメントに同意する同意情報を入力する。ここで、同意情報の形態は特に限定されず、例えば、同意を示すチェックボックスを表示させてチェックされた場合に、チェックされたことを示す情報を同意情報として採用してもよい。或いは、会員医師がテキストボックスに入力した、同意を示す任意の文章を同意情報として採用してもよい。
会員医師端末２の同意情報送信部１０４は、このようにして入力された同意情報を情報処理装置１に送信する。
【００４４】
情報処理装置１の評価情報価値上昇部９４は、当該同意情報を会員医師端末２から受信した場合、コメントデータベース１２１を更新する。具体的には、例えば、ｍ台（ｍは０以上ｎ以下の任意の整数値）の会員医師端末２から当該同意情報を受信した場合、コメントデータベース１２１の同意回数欄の値をｍに更新する。例えば、図８に示すように、コメントＩＤ「００４」に対応する非会員医師についてのコメントに対する同意回数は「２」であることから、当該非会員医師についてのコメントに対して同意した会員医師が２名存在することがわかる。
【００４５】
評価情報集計部９５は、例えば１ヶ月ごと等の所定のタイミングで、コメントデータベース１２１に記憶された非会員医師についての評価情報を、当該非会員医師の属性情報をキーとして集計する。
例えば、評価情報集計部９５は、図８のコメントデータベース１２１において、属性情報が「××病院／内科／△△医師」であるデータレコードを全て検索して、属性情報「××病院／内科／△△医師」に一致するデータレコードの評価情報の各項目（「技術力」、「患者対応」、「診断力」等）の出現数を、おすすめ理由に記載された医療用語ごとに算出する。ここで、医療用語とは、治療法、医療装置等である。また、評価情報集計部９５は、同意回数についても合計値を算出する。
【００４６】
会員医師候補評価情報抽出部９６は、当該出現数が所定の条件を満足する場合、この場合に該当する属性情報を有する非会員医師の評価情報をコメントデータベース１２１から抽出する。なお、会員医師候補評価情報抽出部９６は、当該出現数が所定の条件を満足する場合、この場合に該当する属性情報を有する非会員医師のデータレコードをコメントデータベース１２１から抽出してもよい。
当該所定の条件は、様々な条件が設定され得る。例えば、評価情報集計部９５により算出された各項目の出現数を全項目にわたって合計した合計値が所定値以上である場合等である。
更に、評価情報集計部９５により算出された同意回数の合計値が大きいほど、評価情報集計部９５により算出された各項目の出現数を全項目にわたって合計した合計値が大きくなるように補正されてもよい。
【００４７】
会員医師候補評価情報送信部９７は、会員医師候補評価情報抽出部９６により抽出された、非会員医師の評価情報を管理者端末３に送信する。又は、会員医師候補評価情報送信部９７は、会員医師候補評価情報抽出部９６により抽出された、非会員医師のデータレコードを管理者端末３に送信する。
【００４８】
管理者端末３の会員医師候補評価情報受信部１１１は、会員医師候補評価情報抽出部９６により抽出された、非会員医師の評価情報を情報処理装置１から受信して、出力部７７（図４参照）に表示出力させる。又は、会員医師候補評価情報受信部１１１は、会員医師候補評価情報抽出部９６により抽出された、非会員医師のデータレコードを情報処理装置１から受信して、出力部７７（図４参照）に表示出力させる。
【００４９】
情報処理装置１の類似会員医師評価情報抽出部９８は、会員医師候補評価情報抽出部９６により抽出された、非会員医師の評価情報に含まれる医療用語と類似度が高い、医療用語が評価情報に含まれる会員医師の評価情報を、コメントデータベース１２１から抽出する。医療用語と類似度が高いとは、コメントデータベース１２１に格納された「おすすめ理由」に記載された医療用語同士が完全一致する場合、若しくは、所定数以内の文字の違いがある場合、等である。
【００５０】
会員医師候補評価情報送信部９７は、会員医師候補評価情報抽出部９６により抽出された、非会員医師の評価情報とともに、類似会員医師評価情報抽出部９８により抽出された会員医師の評価情報を管理者端末３に送信する。
【００５１】
管理者端末３の会員医師候補評価情報受信部１１１は、会員医師候補評価情報抽出部９６により抽出された、非会員医師の評価情報とともに、類似会員医師評価情報抽出部９８により抽出された会員医師の評価情報を情報処理装置１から受信して、出力部７７（図４参照）に表示出力させる。
【００５２】
情報処理装置１の非会員医師属性情報送信部９９は、会員医師端末２のコメント送受信部１０３から受信した非会員医師の属性情報と類似度が高い、属性情報が含まれる非会員医師の属性情報をコメントデータベース１２１から抽出して、会員医師端末２に送信する。属性情報と類似度が高いとは、非会員医師の所属する病院名及び診療科が一致する場合、等である。
【００５３】
会員医師端末２の非会員医師属性情報受信部１０５は、情報処理装置１の非会員医師属性情報送信部９９から非会員医師の属性情報を受信して、出力部４７（図３参照）に表示出力させる。
【００５４】
以上、情報処理システムＳを構成する情報処理装置１、会員医師端末２及び管理者端末３の各機能的構成について説明した。次に、情報処理システムＳを構成する情報処理装置１、会員医師端末２及び管理者端末３が会員医師候補決定処理を夫々実行する場合における相互の処理の関係について、図９及び図１０を参照して説明する。
図９及び図１０は、図１の情報処理システムＳを構成する情報処理装置１、会員医師端末２及び管理者端末３が会員医師候補決定処理を夫々実行する場合における相互の処理の関係について説明するアローチャートである。
【００５５】
図９のステップＳ１１において、会員医師端末２−ａ（ａは、１〜ｎのうちの任意の整数値）のコメント作成要求送信部１０１は、非会員医師についてのコメントを作成する旨の要求信号を情報処理装置１に送信する。
【００５６】
ステップＳ１２において、コメント投稿画面生成部９１は、当該要求信号を会員医師端末２−ａから受信すると、評価情報入力フォーマット記憶部１２２から評価情報の入力フォーマットのデータを取得する。
ステップＳ１３において、コメント投稿画面生成部９１は、ステップＳ１２において取得した入力フォーマットのデータに基づいて、非会員医師用のコメント投稿画面のデータを生成する。
ステップＳ１４において、コメント投稿画面送信部９２は、ステップＳ１３において生成された非会員医師用のコメント投稿画面のデータを会員医師端末２−ａに送信する。
【００５７】
ステップＳ１５において、会員医師端末２−ａのコメント投稿画面受信部１０２は、非会員医師用のコメント投稿画面のデータを情報処理装置１から受信して、当該コメント投稿画面を出力部４７に表示出力する。
ステップＳ１６において、コメント送受信部１０３は、ステップＳ１５において出力部４７に表示された非会員医師用のコメント投稿画面に入力部４６を介して入力された、非会員医師の属性情報と、非会員医師の評価情報を含むコメントとを情報処理装置１に送信する。
【００５８】
ステップＳ１７において、情報処理装置１のコメント記憶制御部９３は、会員医師端末２−ａから受信した非会員医師の評価情報を含むコメントを、会員医師端末２−ａから受信した非会員医師の属性情報に関連付けてコメントデータベース１２１に記憶する。
図１０のステップＳ１８において、コメント記憶制御部９３は、当該コメントを、会員医師端末２−１〜２−ｎ（会員医師端末２−ａを除く）に送信する。
【００５９】
ステップＳ１９において、会員医師端末２−ｂ（ｂは、１〜ｎのうちａを除く任意の整数値）のコメント送受信部１０３は、情報処理装置１のコメント記憶制御部９３から非会員医師についてのコメントを受信して、当該受信したコメントを出力部４７に表示出力する。
ステップＳ２０において、会員医師端末２−ｂの同意情報送信部１０４は、表示出力された非会員医師についてのコメントに同意する同意情報が、入力部４６を介して入力された場合に、当該同意情報を情報処理装置１に送信する。
【００６０】
ステップＳ２１において、情報処理装置１の評価情報価値上昇部９４は、当該同意情報を会員医師端末２―ｂから受信した場合、コメントデータベース１２１を更新する。
具体的には例えば、ステップＳ２１の処理前の段階で、ｍ−１台（ｍは１以上ｎ以下の任意の整数値）の会員医師端末２から当該同意情報を受信しており、コメントデータベース１２１の同意回数欄が「ｍ−１」であったとする。この場合、ステップＳ２１において、同意情報が会員医師端末２―ｂから受信されると、ｍ台｛＝（ｍ−１）＋１台｝の会員医師端末２から当該同意情報が受信されたことになる。そこで、評価情報価値上昇部９４は、コメントデータベース１２１の同意回数欄を「ｍ」に更新する。
【００６１】
ステップＳ２２において、評価情報集計部９５は、例えば１ヶ月ごと等の所定のタイミングで、コメントデータベース１２１に記憶された非会員医師についての評価情報を、当該非会員医師の属性情報をキーとして集計する。
例えば、評価情報集計部９５は、図８のコメントデータベース１２１において、属性情報が「××病院／内科／△△医師」であるデータレコードを全て検索して、属性情報「××病院／内科／△△医師」に一致するデータレコードの評価情報の各項目（「技術力」、「患者対応」、「診断力」等）の出現数を、おすすめ理由に記載された医療用語ごとに算出する。また、評価情報集計部９５は、同意回数についても合計値を算出する。
ステップＳ２３において、会員医師候補評価情報抽出部９６は、ステップＳ２２で算出された当該出現数が所定の条件を満足する場合、この場合に該当する属性情報を有する非会員医師の評価情報をコメントデータベース１２１から抽出する。又は、ステップＳ２３において、会員医師候補評価情報抽出部９６は、当該出現数が所定の条件を満足する場合、この場合に該当する属性情報を有する非会員医師のデータレコードをコメントデータベース１２１から抽出してもよい。
ステップＳ２４において、会員医師候補評価情報送信部９７は、ステップＳ２３において抽出された、非会員医師の評価情報を管理者端末３に送信する。又は、会員医師候補評価情報送信部９７は、ステップＳ２３において抽出された、非会員医師のデータレコードを管理者端末３に送信する。
【００６２】
ステップＳ２５において、管理者端末３の会員医師候補評価情報受信部１１１は、ステップＳ２３において抽出された、非会員医師の評価情報を情報処理装置１から受信して、出力部７７に表示出力させる。又は、会員医師候補評価情報受信部１１１は、ステップＳ２３において抽出された、非会員医師のデータレコードを情報処理装置１から受信して、出力部７７に表示出力させる。
【００６３】
ステップＳ２６において、情報処理装置１の類似会員医師評価情報抽出部９８は、ステップＳ２３において抽出された、非会員医師の評価情報に含まれる医療用語と類似度が高い、医療用語が評価情報に含まれる会員医師の評価情報を、コメントデータベース１２１から抽出する。
ステップＳ２７において、会員医師候補評価情報送信部９７は、ステップＳ２３において抽出された、非会員医師の評価情報とともに、ステップＳ２６において抽出された会員医師の評価情報を管理者端末３に送信する。
【００６４】
ステップＳ２８において、管理者端末３の会員医師候補評価情報受信部１１１は、ステップＳ２３において抽出された、非会員医師の評価情報とともに、ステップＳ２６において抽出された会員医師の評価情報を情報処理装置１から受信して、出力部７７（図４参照）に表示出力させる。この処理が終了すると、会員医師候補決定処理は終了となる。
【００６５】
なお、情報処理装置１の非会員医師属性情報送信部９９は、会員医師端末２のコメント送受信部１０３から受信した非会員医師の属性情報と類似度が高い、属性情報が含まれる非会員医師の属性情報をコメントデータベース１２１から抽出して、会員医師端末２−ａ等に送信してもよい。
この場合、会員医師端末２−ａ等の非会員医師属性情報受信部１０５は、情報処理装置１の非会員医師属性情報送信部９９から非会員医師の属性情報を受信して、出力部４７に表示出力させてもよい。
【００６６】
以上のように、本実施形態によれば、情報処理装置１は、会員医師端末２からの要求に応じて、評価情報入力フォーマット記憶部１２２から評価情報の入力フォーマットのデータを取得して、非会員医師を評価するための、評価情報の入力フォーマットを含むコメント投稿画面のデータを生成して、会員医師端末２に送信する。更に、当該情報処理装置１は、非会員医師の属性情報とともに当該非会員医師についての評価情報を含むコメントを当該会員医師端末２から受信したことに応じて、当該受信したコメントを当該非会員医師の属性情報に関連付けてコメントデータベース１２１に記憶し、所定のタイミングでコメントデータベース１２１に記憶された当該非会員医師についての評価情報を当該非会員医師の属性情報に基づいて集計する。更に、当該情報処理装置１は、集計された当該非会員医師についての評価情報が所定の条件を満足する場合に、当該評価情報を会員医師候補の評価情報として抽出して管理者端末３に送信する。
したがって、医師コミュニティ等に属する会員医師同士を評価する評価情報の入力フォーマットと同様の入力フォーマットにより入力された、非会員医師の評価情報に基づいて、当該非会員医師に関する評価情報を集計することによって、当該非会員医師を新たに会員として加えるべきか否かについて、会員医師と同一の基準で判断するための情報を管理者に提供することができる。
【００６７】
また、情報処理装置１は、コメントデータベース１２１に記憶された、会員医師の評価情報の中から、会員医師候補評価情報抽出部９６により抽出された当該非会員医師についての評価情報と類似度が高い、会員医師の評価情報を抽出する類似会員医師評価情報抽出部９８、を更に備え、会員医師候補評価情報送信部９７は、会員医師候補評価情報抽出部９６により抽出された当該非会員医師についての評価情報とともに、類似会員医師評価情報抽出部９８により抽出された当該会員医師についての評価情報を管理者端末３に送信する。
したがって、非会員医師の評価情報に類似する評価情報を有する会員医師の評価情報が、非会員医師の評価情報とともに管理者端末３に送信されるので、管理者は、当該会員医師の評価情報を、当該非会員医師を会員医師として認定する際の認定基準として利用できる。
【００６８】
会員医師端末２から当該非会員医師の属性情報を受信したことに応じて、コメントデータベース１２１に記憶された、非会員医師の属性情報の中から、当該受信した当該非会員医師の属性情報と類似度が高い、非会員医師の属性情報を抽出して、当該抽出された非会員医師の属性情報を会員医師端末２に送信する。
したがって、会員医師は、自身がコメントした非会員医師の属性情報に類似する属性情報を有する別の非会員医師が、既にコメントデータベース１２１に登録されていることを把握できる。
【００６９】
非会員医師についての評価情報を含むコメントを閲覧した会員医師端末２から当該評価情報に関する同意情報を受信したことに応じて、当該非会員医師についての評価情報の価値を上昇させる。
したがって、コメントを投稿した会員医師以外の会員医師の意思が当該非会員医師の評価情報に反映されるので、管理者は、当該非会員医師を会員医師候補にするか否かを、複数の会員医師の意思に基づいて判断できる。
【００７０】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００７１】
上述した一連の処理は、ハードウェアにより実行させることもできるし、ソフトウェアにより実行させることもできる。
換言すると、図５の機能的構成は例示に過ぎず、特に限定されない。即ち、上述した一連の処理を全体として実行できる機能が情報処理装置１、会員医師端末２及び管理者端末３に備えられていれば足り、この機能を実現するためにどのような機能ブロックを用いるのかは特に図５の例に限定されない。
また、１つの機能ブロックは、ハードウェア単体で構成してもよいし、ソフトウェア単体で構成してもよいし、それらの組み合わせで構成してもよい。
【００７２】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００７３】
このようなプログラムを含む記録媒体は、ユーザにプログラムを提供するために装置本体とは別に配布される図２のリムーバブルメディア３１、図３のリムーバブルメディア６１及び図４のリムーバブルメディア８１により構成されるだけでなく、装置本体に予め組み込まれた状態でユーザに提供される記録媒体等で構成される。リムーバブルメディア３１，６１，８１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ１２、図３のＲＯＭ４２、図４のＲＯＭ７２、図２の記憶部１８、図３の記憶部４８及び図４の記憶部７８に含まれるハードディスク等で構成される。
【００７４】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段等より構成される全体的な装置を意味するものとする。
【００７５】
以上、本発明のいくつかの実施形態について説明したが、これらの実施形態は、例示に過ぎず、本発明の技術的範囲を限定するものではない。本発明はその他の様々な実施形態を取ることが可能であり、更に、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【符号の説明】
【００７６】
１・・・情報処理装置、２・・・会員医師端末、３・・・管理者端末、４・・・ネットワーク、１１・・・ＣＰＵ、１２・・・ＲＯＭ、１３・・・ＲＡＭ、１４・・・バス、１５・・・入出力インターフェース、１６・・・入力部、１７・・・出力部、１８・・・記憶部、１９・・・通信部、２０・・・ドライブ、３１・・・リムーバブルメディア、４１・・・ＣＰＵ、４２・・・ＲＯＭ、４３・・・ＲＡＭ、４４・・・バス、４５・・・入出力インターフェース、４６・・・入力部、４７・・・出力部、４８・・・記憶部、４９・・・通信部、５０・・・ドライブ、６１・・・リムーバブルメディア、７１・・・ＣＰＵ、７２・・・ＲＯＭ、７３・・・ＲＡＭ、７４・・・バス、７５・・・入出力インターフェース、７６・・・入力部、７７・・・出力部、７８・・・記憶部、７９・・・通信部、８０・・・ドライブ、８１・・・リムーバブルメディア、９１・・・コメント投稿画面生成部、９２・・・コメント投稿画面送信部、９３・・・コメント記憶制御部、９４・・・評価情報価値上昇部、９５・・・評価情報集計部、９６・・・会員医師候補評価情報抽出部、９７・・・会員医師候補評価情報送信部、９８・・・類似会員医師評価情報抽出部、９９・・・非会員医師属性情報送信部、１０１・・・コメント作成要求送信部、１０２・・・コメント投稿画面受信部、１０３・・・コメント送受信部、１０４・・・同意情報送信部、１０５・・・非会員医師属性情報受信部、１１１・・・会員医師候補評価情報受信部、１２１・・・コメントデータベース、１２２・・・評価情報入力フォーマット記憶部
【図１】
2015036956.tif 000003
【図２】
2015036956.tif 000004
【図３】
2015036956.tif 000005
【図４】
2015036956.tif 000006
【図５】
2015036956.tif 000007
【図６】
2015036956.tif 000008
【図７】
2015036956.tif 000009
【図８】
2015036956.tif 000010
【図９】
2015036956.tif 000011
【図１０】
2015036956.tif 000012